(57)【要約】【課題】電磁波を遮蔽して収納物を収納する電磁波遮蔽収納ケースを提供すること。【解決手段】電磁波遮蔽収納ケース１は、電磁波遮蔽材を含んで、底部１１とこの底部１１の周縁に立設する周縁部１２とが形成された本体１０、及び周縁部の上端に係合する電磁波遮蔽シート（凹溝２３）を有する蓋体２０を備える。蓋体２０により、電磁波遮蔽シートを本体１０の周縁部１２の上端に係合することで間隙なく本体１０を閉じることができる。従って、電磁波遮蔽収納ケース１は、ホメオパシー用のレメディを電磁波から遮蔽して収納することができる。【選択図】図１
2017145045.tif 000002
【特許請求の範囲】
【請求項１】
電磁波を遮蔽して収納物を収納する電磁波遮蔽収納ケースであって、
電磁波遮蔽材を含んで、底部と該底部の周縁に立設する周縁部とが形成された本体と、
前記周縁部の上端に係合する電磁波遮蔽シートを有する蓋体と、
を備えることを特徴とする、電磁波遮蔽収納ケース。
【請求項２】
前記電磁波遮蔽シートは、前記周縁部の上端に係合する凹溝を形成することを特徴とする、請求項１に記載の電磁波遮蔽収納ケース。
【請求項３】
前記電磁波遮蔽シートは、可撓性を有することを特徴とする、請求項１又は２に記載の電磁波遮蔽収納ケース。
【請求項４】
前記電磁波遮蔽シートは、前記蓋体の内面から前記本体の内側に向けて突出して、前記本体に収納される収納物を被覆する被覆部を有することを特徴とする、請求項１から３のいずれか一項に記載の電磁波遮蔽収納ケース。
【請求項５】
前記収納物は、薬剤を収容する容器であることを特徴とする、請求項１から４のいずれか一項に記載の電磁波遮蔽収納ケース。
【請求項６】
前記薬剤は、ホメオパシー用のレメディ、花療法用のレメディであることを特徴とする、請求項５に記載の電磁波遮蔽収納ケース。
【発明の詳細な説明】
【技術分野】
【０００１】
本発明は、電磁波を遮蔽して収納物を収納する電磁波遮蔽収納ケースに関する。
【背景技術】
【０００２】
ホメオパシーは，健康な人に与えると特定の症状を引き起こす物質を高度に希釈震盪して作られるレメディを，特定の症状 を持つ患者に与えることで，自己治癒力を刺激し治癒を促すという同種または類似の法則に基づく自然療法である。
ホメオパシー療法で用いられるレメディは，植物，鉱物等を原料とした特定の症状を引き起こす物質をアルコールで抽出し，それら原液を高度に希釈震盪を繰り返すことによって，当該物質に本来含有されている毒性等悪影響となり得る物質的要素を消失させ， 丸玉，顆粒，粉状またはタブレット状のしょ糖，乳糖等の糖分に含ませたものを指し示す ほか，液体，クリームさらにジェル状等のものまで多様に存在するものである。 
欧州においてホメオパシーのレメディは，家庭の薬箱に常備されるような身近なものであり， 複数のレメディを保管・携帯するのが一般的である。レメディは，その希釈震盪度合いにより効能及び使用方法が異なる繊細なものである。そのため， 近年の住環境，ライフスタイル等の変化から生じる電磁波の増大によって，これまで以上に電磁波によるレメディへの影響を懸念する声も多く，電磁波から遮蔽してレメディを収納することを希望する者が多い。 また，日本に於いてもホメオパシーのレメディを携帯する者が増加している。
また、ホメオパシーに限らず、太陽光の下で煮出す等の方法で植物，鉱物等の成分を抽出した「フラワーエッセンス」をレメディとして用いて、経絡など微細なエネルギーの流れを変化させてマイナスな気持ちを和らげると信じられている「花療法」と言われるものもあり（花の文字が使われているがレメディの成分は植物に限定されない）、そのためのレメディについても電磁波による影響を懸念する声がある。
【０００３】
多くの場合、丸玉状、顆粒状、タブレット状等のレメディは筒状の容器（レメディ容器）に収納され、レメディ容器を例えば非特許文献１に開示されるレメディケースに収納する。しかし、非特許文献に開示された形状のケースは、電磁波を遮断する設計がなされたものではない。そこで、例えば非特許文献２に開示される袋によって、電磁波を遮断していた。
【０００４】
ホメオパシー等のレメディに限らず電磁波を遮断するケースとしては、例えば特許文献２及び３に開示される磁気カード収納体がある。しかし、磁気カードのカード面への（又はからの）電磁波を遮断するものであり、ケースの周縁にわずかな間隙が存在する。この間隙から電磁波が内部に入り込み得るため、レメディを収納するケースとしては適当でない。少なくとも、レメディは電磁波に当てたくない者の安心を得ることはできない。
【先行技術文献】
【特許文献】
【０００５】
【特許文献１】特開２０１４−０６２１０６号公報
【特許文献２】特開２００３−３００５７９号公報
【特許文献３】実用新案登録第３１１０２２４号公報
【非特許文献】
【０００６】
【非特許文献１】レメディーケース・袋（http://www.homoeopathy-shop.jp/SHOP/69153/list.html）
【非特許文献２】Radiation Protection for Homeopathic Remedies（http://www.narayana-verlag.com/Radiation-Protection-for-Homeopathic-Remedies-large/b15673）
【発明の概要】
【発明が解決しようとする課題】
【０００７】
本発明は、電磁波を遮蔽して収納物を収納する電磁波遮蔽収納ケースを提供することを課題とする。
【課題を解決するための手段】
【０００８】
本発明の電磁波遮蔽収納ケースは、
電磁波を遮蔽して収納物を収納する電磁波遮蔽収納ケースであって、
電磁波遮蔽材を含んで、底部と該底部の周縁に立設する周縁部とが形成された本体と、
前記周縁部の上端に係合する電磁波遮蔽シートを有する蓋体と、
を備えることを特徴とする。
【０００９】
この特徴によれば、本体は、電磁波遮蔽材を含んで、底部とこの底部の周縁に立設する周縁部とが形成され、蓋体は、本体の周縁部の上端に係合する電磁波遮蔽シートを有することで、蓋体により、電磁波遮蔽シートを本体の周縁部の上端に係合することで間隙なく本体を閉じて、電磁波を確実に遮蔽することができる。
【００１０】
本発明の電磁波遮蔽収納ケースは、
前記電磁波遮蔽シートは、前記周縁部の上端に係合する凹溝を形成することを特徴とする。
【００１１】
この特徴によれば、電磁波遮蔽シートに周縁部の上端に係合する凹溝が形成されることで、蓋体により、電磁波遮蔽シートの凹溝を本体の周縁部の上端に間隙なく係合して本体を閉じて電磁波を遮断することができる。
【００１２】
本発明の電磁波遮蔽収納ケースは、
前記電磁波遮蔽シートは、可撓性を有することを特徴とする。
【００１３】
この特徴によれば、電磁波遮蔽シートが可撓性を有することで、電磁波遮蔽シートを本体の周縁部の上端に係合した際に電磁波遮蔽シートを上端に確実に密着させることができ、蓋体により間隙なく本体を閉じることができる。
【００１４】
本発明の電磁波遮蔽収納ケースは、
前記電磁波遮蔽シートは、前記蓋体の内面から前記本体の内側に向けて突出して、前記本体に収納される収納物を被覆する被覆部を有することを特徴とする。
【００１５】
この特徴によれば、電磁波遮蔽シートが蓋体の内面から本体の内側に向けて突出して、本体に収納される収納物を被覆する被覆部を有することで、蓋体により本体を閉じた際に、蓋体の内面から本体の内側に向けて突出する電磁波遮蔽シートの被覆部が本体に収納される収納物を被覆し、収納物を電磁波からさらに確実に遮蔽することができる。
【００１６】
本発明の電磁波遮蔽収納ケースは、
前記収納物は、薬剤を収容する容器であることを特徴とする。
【００１７】
この特徴によれば、ホメオパシー用のレメディ、花療法用のレメディを含む、薬剤収納容器を電磁波から遮蔽して収納することができる。
【００１８】
本発明の電磁波遮蔽収納ケースは、
前記薬剤は、ホメオパシー用のレメディ又は花療法用のレメディであることを特徴とする。
【００１９】
この特徴によれば、電磁波による影響を懸念する声があるホメオパシー用のレメディ及び花療法用のレメディについて、その容器を電磁波から遮蔽して収納することができる。
【発明の効果】
【００２０】
本発明の電磁波遮蔽収納ケースによれば、蓋体により間隙なく本体を閉じることで電磁波を遮蔽することが可能となる。
【図面の簡単な説明】
【００２１】
【図１】図１は、電磁波遮蔽収納ケースの構成を示す図である。
【図２】図２は、蓋体の周縁部に設けられる凹溝の構成を示す図である。
【図３】図３は、電磁波遮蔽収納ケースの構成を示す図である。
【発明を実施するための形態】
【００２２】
本発明の実施例について説明する。
【実施例１】
【００２３】
図１に、電磁波遮蔽収納ケース１の構成を示す。図１（Ａ）は電磁波遮蔽収納ケース１を開いた状態で上面から示す上面図であり、図１（Ｂ）は図１（Ａ）の基準線ＢＢについての断面図であり、及び図１（Ｃ）は電磁波遮蔽収納ケース１を閉じた状態において示す断面図である。電磁波遮蔽収納ケース１は、電磁波を遮蔽して収納物であるホメオパシー用のレメディ容器３０を収納するケースであり、本体１０及び蓋体２０を含んで構成される。なお、本実施例では、レメディ容器３０は単心円状の断面を有する筒部材とする。
【００２４】
本体１０は、レメディ容器３０を収納する上面が開いた箱体であり、電磁波遮蔽材、例えばアルミニウム、ニッケル−リン合金、銅等を無電解めっきにより複数積層したプラスチック、ポリスチレン等から成形されている。これにより、内部に収納されるレメディ容器３０が、下方からの電磁波から遮蔽される。
【００２５】
本体１０は、底部１１、周縁部１２、及び接続体１２ａを有する。底部１１は、肉厚の板状を有し、表面には図面横方向を長手とする単心円形状の凹部１１ａが複数、一例として図面横方向に３及び図面縦方向に５の計１５、形成されている。凹部１１ａのそれぞれにレメディ容器３０が収納される。周縁部１２は、底部１１の上面の周縁に立設して、複数の凹部１１ａを囲む壁材である。接続体１２ａは、周縁部１２の上側長辺に設けられ、後述する蓋体２０の周縁部２２を傾動可能に接続する。
【００２６】
蓋体２０は、本体１０をその上方を覆って閉じる蓋部材であり、例えば本体１０と同様の電磁波遮蔽材から成形されている。これにより、蓋体２０により本体１０を閉じた際に、本体１０に収納されるレメディ容器３０が上方からの電磁波から遮蔽される。
【００２７】
蓋体２０は、天板２１及び周縁部２２を有する。天板２１は、天板２１の底部１１と同形状の肉薄の板状部材である。周縁部１２は、天板２１の裏面の周縁に立設する壁材である。周縁部１２の上端には、凹溝２３が設けられている。
【００２８】
図２に、周縁部２２の凹溝２３の構成を示す。凹溝２３は、例えば金属細線を用いてメッシュ状に編まれた可撓性を有する電磁波遮蔽シート（単にシートとも呼ぶ）を用いて構成される。図２（Ａ）に示すように、周縁部２２の端部に、周縁部２２の下面の中心に沿って、図面下向きに開く凹部２２ａが形成されている。シートは、その両端を凹部２２ａの両側の上面に掛けられ、中央を凹部２２ａ内に撓むことで、凹溝２３をなす。
【００２９】
蓋体２０により本体１０を閉じると、図２（Ｂ）に示すように、凹溝２３が本体１０の周縁部１２の上端に係合する。このとき、シートが可撓性を有することで、シートが周縁部１２の上端に密着して、蓋体２０により間隙なく本体１０を閉じることができる。
【００３０】
以上詳細に説明したように、本実施例の電磁波遮蔽収納ケース１は、電磁波遮蔽材を含んで、底部１１とこの底部１１の周縁に立設する周縁部１２とが形成された本体１０、及び周縁部１２の上端に係合する電磁波遮蔽シート（凹溝２３）を有する蓋体２０を備える。蓋体２０により、電磁波遮蔽シートを本体１０の周縁部１２の上端に係合することで間隙なく本体１０を閉じることができる。従って、電磁波遮蔽収納ケース１は、ホメオパシー用のレメディ容器を電磁波から遮蔽して収納することができる。
【００３１】
なお、本実施例の電磁波遮蔽収納ケース１では、蓋体２０の周縁部２２に凹溝２３を形成するために電磁波遮蔽シートを用いたが、これをさらに蓋体２０の内側に設けて本体１０に収納されるレメディ容器３０を被覆してもよい。
【００３２】
なお、本実施例に係る電磁波遮蔽収納ケース１では、接続体１２ａにより蓋体２０を本体１０に傾動可能に接続し、蓋体２０を傾動して本体１０の上方を被せることで本体１０を閉じる構成を採用したが、蓋体２０及び本体１０を別体として構成し、蓋体２０の全体を本体１０の上方から被せることで本体１０を閉じる構成を採用してもよい。
【００３３】
なお、本実施例に係る電磁波遮蔽収納ケースでは、本体１０にのみレメディ容器３０を電磁波から遮蔽して収納したが、蓋体２０にもレメディ容器３０を電磁波から遮蔽して収納してもよい。この場合、蓋体２０の上下方向の幅を本体１０と同程度にすることで、レメディ容器３０を収納するスペースが構成される。
【実施例２】
【００３４】
図３に、電磁波遮蔽収納ケース２の構成を示す。図３（Ａ）は電磁波遮蔽収納ケース１を開いた状態において示す断面図であり、及び図３（Ｂ）は電磁波遮蔽収納ケース１を閉じた状態において示す断面図である。電磁波遮蔽収納ケース２は、先述の電磁波遮蔽収納ケース１とほぼ同じ構成を有するため、同じ又は対応する構成要素については同じ符号を付し、その詳細説明を省略する。電磁波遮蔽収納ケース２は、電磁波遮蔽収納ケース１に対して蓋体２０の構成を異にする。
【００３５】
蓋体２０は、さらに被覆部２４を有する。被覆部２４は、先と同様の電磁波遮蔽シートを用いて形成された蓋体２０の内面を覆う部材であり、本体１０の底部１１に設けられた凹部１１ａに対応して同じ位置に同じ形状の複数の凹部２４ａが形成されている。蓋体２０を用いて本体１０を閉じた際に、被覆部２４は、蓋体２０の内面から本体１０の内側に向けて突出して、本体１０に収納されるレメディ容器３０を上方から被覆し、これを電磁波から遮蔽する。なお、電磁波遮蔽収納ケース２においては、被覆部２４が上方からの電磁波を遮蔽するので、蓋体２０は、必ずしも、電磁波遮蔽材から構成する必要はない。
【００３６】
以上詳細に説明したように、本実施例の電磁波遮蔽収納ケース２は、実施例１の電磁波遮蔽収納ケース１に、さらに、被覆部２４を備える。被覆部２４により、レメディ容器３０を電磁波から遮蔽して収納することができる。
【００３７】
なお、被覆部２４を、可撓性を有する電磁波遮蔽シートを用いて形成し、可撓性を利用してレメディ容器３０の上側に形状を合わせることもできる。そうすると、本体１０に収納されるレメディ容器３０を被覆し、電磁波からさらに確実に遮蔽することができる。また、天板２１と被覆部２４との間にスポンジを配し、レメディ容器３０の形状、大きさに合わせて被覆部２４が変形するようにしてもよい。
【００３８】
なお、本体１０の底部１１の上面を先と同様の電磁波遮蔽シートを用いてカバーしてもよい。これにより、本体１０に収納されるレメディ容器３０を下方から被覆し、これを電磁波から遮蔽する。係る場合、本体１０は、必ずしも、電磁波遮蔽材から構成する必要はない。
【００３９】
なお、本実施例に係る電磁波遮蔽収納ケースでは、接続体１２ａにより蓋体２０を本体１０に傾動可能に接続し、蓋体２０を傾動して本体１０の上方を被せることで本体１０を閉じる構成を採用したが、蓋体２０及び本体１０を別体として構成し、蓋体２０の全体を本体１０の上方から被せることで本体１０を閉じる構成を採用してもよい。
【００４０】
なお、本実施例に係る電磁波遮蔽収納ケースでは、本体１０にのみレメディ容器３０を電磁波から遮蔽して収納したが、蓋体２０にもレメディ容器３０を電磁波から遮蔽して収納してもよい。この場合、蓋体２０の上下方向の幅を本体１０と同程度にすることで、レメディ容器３０を収納するスペースが構成される。
【産業上の利用可能性】
【００４１】
本発明の電磁波遮蔽収納ケースは、蓋体により間隙なく本体を閉じることで電磁波を遮蔽するのに好適である。多くのホメオパシー実施者、花療法実施者等による利用が考えられる。
【符号の説明】
【００４２】
１    電磁波遮蔽収納ケース
２    電磁波遮蔽収納ケース
１０    本体
１１    底部
１１ａ  凹部
１２    周縁部
１２ａ  接続体
２０    蓋体
２１    天板
２２    周縁部
２２ａ  凹部
２３    凹溝（電磁波遮蔽シート）
２４    被覆部（電磁波遮蔽シート）
２４ａ  凹部
３０    レメディ容器
【図１】
2017145045.tif 000003
【図２】
2017145045.tif 000004
【図３】
2017145045.tif 000005
【手続補正書】
【提出日】平成29年2月25日(2017.2.25)
【手続補正１】
【補正対象書類名】特許請求の範囲
【補正対象項目名】全文
【補正方法】変更
【補正の内容】
【特許請求の範囲】
【請求項１】
電磁波を遮蔽して収納物を収納する電磁波遮蔽収納ケースであって、
電磁波遮蔽材を含んで、底部と該底部の周縁に立設する周縁部とが形成された本体と、
前記周縁部の上端に係合する電磁波遮蔽シートを有する蓋体と、
を備え、
前記電磁波遮蔽シートは、前記周縁部の上端に係合する凹溝を形成することを特徴とする、電磁波遮蔽収納ケース。
【請求項２】
前記電磁波遮蔽シートは、可撓性を有することを特徴とする、請求項１に記載の電磁波遮蔽収納ケース。
【請求項３】
前記電磁波遮蔽シートは、前記蓋体の内面から前記本体の内側に向けて突出して、前記本体に収納される収納物を被覆する被覆部を有することを特徴とする、請求項１又は２に記載の電磁波遮蔽収納ケース。
【請求項４】
前記収納物は、薬剤であることを特徴とする、請求項１から３のいずれか一項に記載の電磁波遮蔽収納ケース。
【請求項５】
前記薬剤は、ホメオパシー用のレメディ又は花療法用のレメディであることを特徴とする、請求項４に記載の電磁波遮蔽収納ケース。